(57)【特許請求の範囲】
【請求項１】
少なくとも土台ケースと蓋ケースからなる塗膜転写具であって、土台ケースに組み込む部材は、少なくとも、テープ基材上に塗膜を形成した転写テープ、繰出しリール、転写ヘッド、巻取りリール、繰出しリールと巻取りリールの連動部材からなり、このうち、繰出しリールと巻取りリールは転写テープでつながっている部材であり、これら部材を組み込み後、繰出しリールと巻取りリールの２つのうち、一方のリールは、そのリール支軸に対して保持されている保持リールであり、他方のリールは、リール支軸に対しては保持されていない非保持リールであり、
保持リールと非保持リールの中心間距離をＬとし、保持リールの半径をＫ、非保持リールの半径をＨとすると、保持リールと非保持リールは、  Ｌ＜Ｋ＋Ｈ  の関係を満たしている部分を有しており、このＫの部分に、土台ケースをひっくり返した時に、Ｈの部分が係ることによって、非保持リールが保持されている配置であり、
転写ヘッドは、土台ケースの係合部にて保持されて、土台ケースから突設しており、土台ケースと蓋ケースは摺動可能であり、その摺動によって、土台ケースから突設した転写ヘッドを蓋ケース内に格納することができ、かつ、土台ケースと蓋ケースは分離可能であることを特徴とする塗膜転写具。
【発明の詳細な説明】
【技術分野】
【０００１】
本発明は、テープ基材上に形成された塗膜を圧力で転写するために用いる塗膜転写具であって、片手に持って使用可能な塗膜転写具に関するものである。
【背景技術】
【０００２】
テープ基材上に形成された塗膜を圧力で転写するための塗膜転写具は、数多く商品化されている。これは、片手に持って使用可能であり、紙などの被転写物に転写ヘッドを押し当てて、圧力をかけながら塗膜転写具を引くことにより、塗膜を転写することができる。塗膜転写具の内部に組み込まれた部材の基本的な動きは、転写テープが繰出しリールから繰り出され、転写ヘッドにて圧力で塗膜が転写され、塗膜転写後のテープ基材が巻取りリールに巻き取られるというものである。
【０００３】
塗膜転写具は、転写テープ、繰出しリール、転写ヘッド、巻取りリール、繰出しリールと巻取りリールの連動部材などを組み込むことで、組み立てられる。塗膜転写具は二つのケースからなり、一方のケースにこれらの部材を組み込み、もう一方のケースを嵌めて、組み立てるのが一般的である。先に部材を組み込むケースは土台となるので、土台ケースであり、それに対して後のケースは蓋となるので、蓋ケースである。組み立て手順の詳細を一例として挙げれば、土台ケースに、転写ヘッドや繰出しリールと巻取りリールの連動部材などを組み込んで、そこへ繰出しリールと巻取りリールが転写テープでつながっている部材を組み込み、転写ヘッドに転写テープを回して、転写テープのたるみや連動部材などを調整して、蓋ケースを嵌める組み立て手順となる。このような組み立て時において、土台ケースに部材を組み込み後、蓋ケースをするまでの間に、ふいに土台ケースをひっくり返してしまうと、組み込んだ部材は落ちてしまう。
【０００４】
また、販売されている塗膜転写具には、転写テープを詰め替えるタイプのものもある。このタイプは、製造業者が詰め替えを行なうのではなく、塗膜転写具を購入した一般の使用者が、蓋ケースを開けて、土台ケースに組み込んでいる部材を詰め替えるものである。一般の使用者でも部材の詰め替えを容易に行なえるように、様々な詰め替え器具が開発されており、その中で、特許第３７８３９０１号公報のように、詰め替える部材とそれらを着脱自在に係止している支持体との間に薄板を具備する様構成されたものがある。この公報の場合、詰め替える時に、支持体や薄板がある状態であれば、それらによってひっくり返しても部材が落ちることを防げるかもしれないが、支持体と薄板を外した状態になれば、そこでふいに土台をケースをひっくり返してしまうと、やはり部材は落ちてしまうことになる。
【０００５】
これらのように、組み立てや詰め替えのどちらの場合においても、部材を組み込む作業の時に、ふいにひっくり返してしまうと、中の部材が落ちてしまうという問題があった。
【０００６】
一方で、近年、様々な塗膜転写具が開発されており、その中で、特願２００７−２５８４１８号公報のように、土台ケース（公報では「本体ケース」）と蓋ケース（公報では「外枠ケース」）が摺動可能であり、詰め替えるために分離が容易なものがある。この製品の場合、分離しても、容易に部材である転写ヘッドが落ちないように、転写ヘッドは、土台ケース（公報では「本体ケース」）の転写ヘッド保持部によって保持されている。転写ヘッド保持部は、転写ヘッドを嵌めて、その上から蓋をするように嵌合している。そのため、土台ケース（公報では「本体ケース」）単独でも、転写ヘッドが落ちない構造となっている。
【０００７】
この製品の転写ヘッド保持部を改良したものとして、特願２００７−２５８５８０号公報に、転写ヘッド保持部の代わりに係合部を設けて、そこへ転写ヘッドを差し込むというものもある。これにより、転写ヘッド保持部のように、土台ケース（公報では「本体ケース」）に対して転写ヘッドと蓋を嵌合させることがなくなり、組み込みの工程を減らしている。
【０００８】
これらのように、組み立てや詰め替えにおいて、土台ケースをひっくり返しても、組み込む部材である転写ヘッドが落ちない構造のものは存在している。
【０００９】
他方で、特開２００２−１０４７１８号公報のように、組み込む部材を具備したカートリッジによって、カートリッジごと詰め替えるタイプも開発されている。この場合、組み込む部材を具備するためのカートリッジを製造しなければならない。
【００１０】
近年、環境問題が深刻になっており、弊社においても、環境負荷を減らすべく、少ない部材で効果的な構造を研究している。組み込む部材を具備するためのカートリッジを使用するとなると、塗膜転写具に必須の部材以外にそのカートリッジも製造しなければならず、環境負荷は大きい。一般の使用者が詰め替えるためには、カートリッジ方式にするのがより良い方法であるが、環境負荷を考えた場合、詰め替えるために、塗膜転写具に必須の部材以外は製造しない方がよいが、もし製造するにしても、特許第３７８３９０１号公報のような支持体や薄板程度の補助部材に留めておきたい。
【特許文献１】特許第３７８３９０１号公報
【特許文献２】特願２００７−２５８４１８号公報
【特許文献３】特願２００７−２５８５８０号公報
【特許文献４】特開２００２−１０４７１８号公報
【発明の開示】
【発明が解決しようとする課題】
【００１１】
組み立てや詰め替えにおいて、土台ケースをひっくり返しても、組み込む部材である繰出しリールと巻取りリールが転写テープでつながっている部材が落ちないようにすることであり、組み込む部材を具備したカートリッジ方式にはしないことが、課題である。
【課題を解決するための手段】
【００１２】
カートリッジ方式にせずに、繰出しリールと巻取りリールが転写テープでつながっている部材が落ちないようにするには、繰出しリールと巻取りリールをそれぞれのリール支軸により保持することで、土台ケースをひっくり返しても、落ちないようにすることができる。このようなリール保持構造を有するリール支軸に、繰出しリールと巻取りリールの２つのリールを同時に装着するには、工夫や慣れが必要である。また、一般の使用者が詰め替えを行なうには、このような工夫や慣れを必要とするような構造では難しいものがある。
【００１３】
そこで、一方だけのリール支軸にリールを保持する構造にすれば、例え一般の使用者であれ、装着にそれほどの工夫や慣れは必要ないのではないかと考えた。そこから、一方だけのリール支軸にリールを保持させ、他方のリールはその保持させたリールによって保持させるという構造にしながら、土台ケースをひっくり返しても、組み込む部材である繰出しリールと巻取りリールが転写テープでつながっている部材が落ちないようにする配置を見出したものである。
【００１４】
本発明は、少なくとも土台ケースと蓋ケースからなる塗膜転写具であって、土台ケースに組み込む部材は、少なくとも、テープ基材上に塗膜を形成した転写テープ、繰出しリール、転写ヘッド、巻取りリール、繰出しリールと巻取りリールの連動部材からなり、このうち、繰出しリールと巻取りリールは転写テープでつながっている部材であり、
これら部材を組み込み後、繰出しリールと巻取りリールの２つのうち、一方のリールは、そのリール支軸に対して保持されている保持リールであり、他方のリールは、リール支軸に対しては保持されていない非保持リールであり、
保持リールと非保持リールの中心間距離をＬとし、保持リールの半径をＫ、非保持リールの半径をＨとすると、保持リールと非保持リールは、  Ｌ＜Ｋ＋Ｈ  の関係を満たしている部分を有しており、このＫの部分に、土台ケースをひっくり返した時に、Ｈの部分が係ることによって、非保持リールが保持されている配置であることを特徴とするものである。
【００１５】
また、この特徴に加えて、転写ヘッドは、土台ケースの係合部にて保持されて、土台ケースから突設しており、土台ケースと蓋ケースは摺動可能であり、その摺動によって、土台ケースから突設した転写ヘッドを蓋ケース内に格納することができ、かつ、土台ケースと蓋ケースは分離可能であることを特徴とするものである。
【発明の効果】
【００１６】
本発明により、組み立てや詰め替えにおいて、土台ケースをひっくり返しても、組み込む部材である繰出しリールと巻取りリールが転写テープでつながっている部材が落ちないようにすることができるようになった。また、組み込む部材を具備したカートリッジ方式にもしておらず、少ない部材で効果的な構造となり、環境負荷へ配慮したものとなった。
【発明を実施するための最良の形態】
【００１７】
図１は、本発明の塗膜転写具１の斜視図であり、本発明の一例である。この例における土台ケースは、特願２００７−２５８４１８号公報の「本体ケース」と同じ形状であり、この例における蓋ケース３は、特願２００７−２５８４１８号公報の「外枠ケース」と同じ形状である。それゆえ図１では、蓋ケース３が土台ケースを覆っているため、土台ケースは見えておらず、一方、土台ケースから突設した転写ヘッド２が、塗膜を転写することができる転写ヘッド突出位置にあるため、転写ヘッド２は見えている。この図の状態で、塗膜転写具１を使用することができる。
【００１８】
図２は、図１の塗膜転写具１を図面裏側から見た平面図であり、土台ケース４と蓋ケース３の摺動を説明する摺動説明図である。図２（ａ）は、土台ケース４が蓋ケース３の格納位置にある状態であり、この状態で保管したり、持ち運びしたりできる。図２（ｂ）は、土台ケース４が蓋ケース３の突出位置にある状態であり、この状態で塗膜転写具１を使用することができる。つまり、紙などの被転写物に転写ヘッド２を当てて、圧力をかけながら塗膜転写具１を引くことにより、塗膜を転写することができる。
【００１９】
図２において、蓋ケース３の図面上下部分にレール部２４があり、これが土台ケース４と蓋ケース３の摺動を可能にしている。これにより、図２（ａ）から図２（ｂ）へ摺動することも、逆に、図２（ｂ）から図２（ａ）へ摺動することもできるようになっている。さらに、図２（ａ）の状態から土台ケース４を図面左方向へ摺動させると、土台ケース４と蓋ケース３は分離することができる。なお、土台ケースと蓋ケースの摺動における固定、解除、停止などの機構は、様々な機構が考えられるが、ここでは特願２００７−２５８４１８号公報のものを想定している。
【００２０】
図３は、土台ケース４の内部構造を表わした図である。図１や図２の蓋ケース３を分離して外して、図１と同じ方向から表わしている。ここで駆動部材１０は、特願２００７−２５８４１８号公報における固定、解除、停止などの機構の特徴となる部材である。この駆動部材１０の動作は、特願２００７−２５８４１８号公報に詳細に記載されており、本発明の本質的な部分ではないので、詳細な説明は省略する。転写ヘッド２は、係合部９にて保持されている。ここでは、特願２００７−２５８５８０号公報の「差し込み転写ヘッド」の特徴を備えたものである。つまり、図面やや左下方向から係合部９へ転写ヘッド２を差し込んで保持されており、転写ヘッド２は土台ケース４から突設している。
【００２１】
これらをまとめると、転写ヘッド２は、土台ケース４の係合部９にて保持されて、土台ケース４から突設しており、塗膜転写具１は土台ケース４と蓋ケース３からなり、それらは摺動可能であり、その摺動によって、土台ケース４から突設した転写ヘッド２を蓋ケース３内に格納することができ、かつ、土台ケース４と蓋ケース３は分離可能であることとなる。これらは、請求項の特徴に基いたものである。
【００２２】
以下の実施例すべてにおいて、この請求項の特徴に基いた塗膜転写具１であることを前提にして説明するが、本発明は他にも様々な構造が考えられるので、この塗膜転写具１だけに本発明が限定されるものではない。
【００２３】
なお、本発明において「保持されている」とは、そのものの自重により、ずれたり外れたりすることはないが、そのものに自重以外の外からの大きな力を加えることにより、ずらしたり外したりすることができる状態のことを意味している。それゆえ、保持されていれば、ひっくり返しても、それだけでは落ちることはない。
【実施例１】
【００２４】
図３の土台ケース４に、繰出しリール５、転写テープ６、巻取りリール７、転写ヘッド２、繰出しリールと巻取りリールの連動部材などを組み込んでいる。転写テープ６が巻かれた繰出しリール５は、繰出しリールのリール支軸１２に装着されており、巻取りリール７は、巻取りリールのリール支軸１３に装着されている。転写テープ６は、テープ基材８上に塗膜を形成しており、繰出しリール５から繰り出された転写テープ６は、土台ケース４から突設した転写ヘッド２にて塗膜を転写することができ、その後、巻取りリール７に巻き取られる構成である。紙などの被転写物に転写テープ６の塗膜が転写されると、巻取りリール７に巻き取られるのはテープ基材８となる。
【００２５】
繰出しリールと巻取りリールの連動部材はギアであり、繰出しリール用ギアと巻取りリール用ギアから構成されている。図ではそれらのギアがそれぞれのリールの背後（図３の土台ケース側）にあり、繰出しリール用ギアのギア歯部１５だけが、繰出しリール５の転写テープ６を含めた半径より大きい部分にある構造のため、部分的に見えている。
【００２６】
図４は、繰出しリール５と巻取りリール７が転写テープ６でつながっている部材を組み込む前の土台ケース４の内部構造を表わした図である。繰出しリールのリール支軸１２には、繰出しリール用ギア１４が回動可能に係止され、その繰出しリール用ギア１４にはスリップコア１８が嵌合している。スリップコア１８の周囲に、スリップコアのリール保持部２０を４箇所十字位置で形成しているが、図では３箇所しか見えていない。これらの詳細は、図７で説明する。
【００２７】
図５は、繰出しリール５と巻取りリール７が転写テープ６でつながっている部材の例であり、図３の配置のまま、これらだけを取り出した図でもある。繰出しリール５には鍔はなく、巻取りリール７には鍔１１が片側だけにある片鍔の巻取りリール７である。転写テープ６のほとんどが繰出しリール５に巻かれており、その転写テープ６の先端が片鍔の巻取りリール７につながっている。繰出しリール５のリール芯穴内面２１に、リールのリール芯穴内係部２２を１２箇所等間隔で形成している。図ではその１箇所だけに番号を記している。
【００２８】
図４の土台ケース４に、図５の繰出しリール５と巻取りリール７が転写テープ６でつながっている部材を組み込むと、図３の状態となる。図４のスリップコアのリール保持部２０が、リールのリール芯穴内係部２２の隣り合う２箇所の間に係合する構成である。
【００２９】
図６は、図５を図面裏側から見た場合の、繰出しリール５と片鍔の巻取りリール７が転写テープ６でつながっている部材の例である。巻取りリール用ギア１６は、巻取りリール７に一体成型して設けており、巻取りリール７のリール芯穴周辺にある。ここで、巻取りリール用ギアのギア歯部１７は、巻取りリール７にある鍔１１の半径より小さい部分にある構造である。これを図４の土台ケース４に組み込んで図３の状態にすると、図４の繰出しリール用ギアのギア歯部１５と図６の巻取りリール用ギアのギア歯部１７が噛み合って、繰出しリールと巻取りリールが連動する機構となる。
【００３０】
図７は、実施例１の繰出しリールと巻取りリールの配置説明図である。図は、繰出しリール５と巻取りリール７の回動中心を含む断面を表わしている。破線は、円筒形構造であることを表わしており、一転鎖線は、リールの回動中心（リール支軸の中心）を表わしている。この実施例１では、リールなどの部材を土台ケース４に組み込み後、繰出しリール５と巻取りリール７の２つのうち、繰出しリール５が、そのリール支軸１２に対して保持されている保持リールであり、巻取りリール７が、リール支軸１３に対しては保持されていない非保持リールである。繰出しリール５は、次のような構造によって、そのリール支軸１２に対して保持されている。
【００３１】
図７において、リール支軸１２の円筒形の一部（図３や図４のリール支軸１２において、支軸断面が円形状でなく文字「Ｃ」の左右反転したような形状であり、その欠けている部分）に爪１９を形成している。この爪１９によって、繰出しリール用ギア１４がリール支軸１２から外れないよう係止されながら、回動可能になっている。ただし、大きな力で引っ張れば、爪１９がたわんで、繰出しリール用ギア１４をリール支軸１２から外すことができる。
【００３２】
その繰出しリール用ギア１４には、スリップコア１８が嵌合している。図７の上方からスリップコア１８を繰出しリール用ギア１４へ差し込むことにより、図７のようにスリップコア１８が繰出しリール用ギア１４に嵌合する。
【００３３】
そのスリップコア１８のリール保持部２０と繰出しリール５のリール芯穴内面２１とが図のように接することで、繰出しリール５がスリップコア１８に保持されている。接することで保持されているので、大きな力を加えることにより、接している部分でずれが生じたり、繰出しリール５を外したりすることができる。
【００３４】
スリップコア１８のリール保持部２０が、リールのリール芯穴内係部２２の隣り合う２箇所の間に係合する構成である。この係合では、回動の力のバランスが崩れ、スリップコア１８のリール保持部２０と繰出しリール５のリール芯穴内面２１とが接している部分でずれが生じた時に、スリップコア１８のリール保持部２０がリールのリール芯穴内係部２２に係り、回動し続けることができる補助的な機構である。
【００３５】
これらリール支軸１２、繰出しリール用ギア１４、スリップコア１８、繰出しリール５の構造によって、繰出しリール５が、そのリール支軸１２に対して保持されている。この繰出しリール５が、保持リールである。
【００３６】
巻取りリール７は、爪のような構造のない単なる円筒形構造であるリール支軸１３に保持されずに装着されて、回動可能になっている。この巻取りリール７が、非保持リールである。
【００３７】
ここで、繰出しリール用ギアのギア歯部１５は、繰出しリール５の転写テープ６を含めた半径より大きい部分にある構造であり、巻取りリール用ギアのギア歯部１７は、巻取りリール７にある鍔１１の半径より小さい部分にある構造である。繰出しリール用ギアのギア歯部１５と巻取りリール用ギアのギア歯部１７は、図の噛合部２３にて噛み合って、繰出しリール５と巻取りリール７が連動する機構となっている。
【００３８】
図７において、Ｌは、繰出しリール５と巻取りリール７の中心間距離（保持リールと非保持リールの中心間距離）であり、Ｋは、繰出しリール５の半径（保持リールの半径）であり、Ｈは、巻取りリール７の半径（非保持リールの半径）である。Ｌ＜Ｋ＋Ｈの関係を満たしている部分は、Ｋについては、繰出しリール５に巻かれている転写テープ６までの半径であり、Ｈについては、巻取りリール７にある鍔１１の半径である。このＫの部分に、土台ケースをひっくり返した時に、Ｈの部分が係ることによって、非保持リールが保持されている配置となっている。つまり、この図の上下を逆さにして、土台ケースをひっくり返した状態を考えると、保持リールである繰出しリール５に巻かれている転写テープ６の半径Ｋの部分に、非保持リールである巻取りリール７にある鍔１１の半径Ｈの部分があたって、リールが落ちない配置となっている。
【００３９】
このような配置によって、土台ケース４に部材を組み込み後、蓋ケース３をするまでの間に、ふいに土台ケースをひっくり返しても、組み込んだリールなどを落とすことがなくなった。
【実施例２】
【００４０】
この実施例２では、実施例１とリールの構造が異なり、それ以外は実施例１と同じである。リールの構造の違いは、巻取りリール７にはリール芯の両端に同半径の鍔１１が設けられているところである。
【００４１】
図８は、実施例２の繰出しリールと巻取りリールの配置説明図である。前記の巻取りリール７の構造の違い以外は、図７（実施例１）と同様に表わしている。図８において、Ｌ＜Ｋ＋Ｈの関係を満たしている部分は、Ｋについては、繰出しリール５に巻かれている転写テープ６までの半径であり、Ｈについては、土台ケース４に近い方の巻取りリール７にある鍔１１の半径である。このＫの部分に、土台ケースをひっくり返した時に、Ｈの部分が係ることによって、非保持リールが保持されている配置となっている。つまり、この図の上下を逆さにして、土台ケースをひっくり返した状態を考えると、保持リールである繰出しリール５に巻かれている転写テープ６までの半径Ｋの部分に、非保持リールである土台ケース４に近い方の巻取りリール７にある鍔１１の半径Ｈの部分があたって、リールが落ちない配置となっている。
【００４２】
図９は、実施例２の繰出しリール５と巻取りリール７が転写テープ６でつながっている部材の例である。繰出しリール５には鍔はなく、巻取りリール７には鍔１１が両側にある両鍔の巻取りリール７である。転写テープ６のほとんどが繰出しリール５に巻かれており、その転写テープ６の先端が片鍔の巻取りリール７につながっている。繰出しリール５のリール芯穴内面２１に、リールのリール芯穴内係部２２を１２箇所等間隔で形成している。図ではその１箇所だけに番号を記している。
【００４３】
この実施例２は、実施例１に比べて、使い始めから使い終わりまでのテープ走行の安定性がよいことがわかった。これは、使い始めにおいて、非保持リールである巻取りリール７に両鍔１１があり、繰出しリール５に巻かれた転写テープ６を挟んでいることにより、使い始めにおいて巻取りリール２に整然と巻き取られること、かつ、繰出しリール５が保持リールであり、爪などから多少の抵抗を受けて、非保持リールに比べてテープ走行によるリール回転が安定しているのではないかということ、これらの構造のバランスがよく、テープ走行の安定性につながっていると推測している。そのため、使い始めから使い終わりまでのテープ走行の安定性がよいという効果が生じているのだろう。
【実施例３】
【００４４】
この実施例３では、実施例１や２と保持リールと非保持リールが異なり、それら以外は実施例１と同じである。保持リールと非保持リールの違いは、次のようなところである。リールなどの部材を土台ケース４に組み込み後、繰出しリール５と巻取りリール７の２つのうち、巻取りリール７が、そのリール支軸１３に対して保持されている保持リールであり、繰出しリール５が、リール支軸１２に対しては保持されていない非保持リールであるところである。
【００４５】
図１０は、実施例３の繰出しリールと巻取りリールの配置説明図である。前記の保持リールと非保持リールの違い以外は、図７（実施例１）と同様に表わしている。巻取りリール７は、次のような構造によって、そのリール支軸１３に対して保持されている。
【００４６】
図１０において、リール支軸１３の円筒形の一部（図示していないが、図３や図４のリール支軸１２と同様に、支軸断面が円形状でなく文字「Ｃ」の左右反転したような形状であり、その欠けている部分）に爪１９を形成している。この爪１９によって、巻取りリール７がリール支軸１３から外れないよう係止されながら、回動可能になっている。ただし、大きな力で引っ張れば、爪１９がたわんで、巻取りリール７をリール支軸１３から外すことができる。このような構造によって、巻取りリール７が、そのリール支軸１３に対して保持されている。この巻取りリール７が、保持リールである。
【００４７】
繰出しリール５は、繰出しリール用ギア１４とスリップコア１８を伴っている構成である。繰出しリール用ギア１４とスリップコア１８は嵌合しており、スリップコア１８のリール保持部２０と繰出しリール５のリール芯穴内面２１とが図のように接することで、繰出しリール５がスリップコア１８に保持されている構成である。このような繰出しリール用ギア１４とスリップコア１８を伴っている繰出しリール５が、爪のような構造のない単なる円筒形構造であるリール支軸１２に保持されずに装着されて、回動可能になっている。この繰出しリール５が、非保持リールである。
【００４８】
ここで、繰出しリール用ギアのギア歯部１５は、繰出しリール５の転写テープ６を含めた半径より大きい部分にある構造であり、巻取りリール用ギアのギア歯部１７は、図のように、巻取りリール７にある鍔１１の半径より小さいが、リールのコア半径よりは大きい部分にある構造である。繰出しリール用ギアのギア歯部１５と巻取りリール用ギアのギア歯部１７は、図の噛合部２３にて噛み合って、繰出しリール５と巻取りリール７が連動する機構となっている。
【００４９】
図１０において、Ｌは、巻取りリール７と繰出しリール５の中心間距離（保持リールと非保持リールの中心間距離）であり、Ｋは、巻取りリール７の半径（保持リールの半径）であり、Ｈは、繰出しリール５の半径（非保持リールの半径）である。Ｌ＜Ｋ＋Ｈの関係を満たしている部分は、Ｋについては、巻取りリール７にある鍔１１の半径であり、Ｈについては、繰出しリール５に伴った繰出しリール用ギアのギア歯部１５までの半径である。このＫの部分に、土台ケースをひっくり返した時に、Ｈの部分が係ることによって、非保持リールが保持されている配置となっている。つまり、この図の上下を逆さにして、土台ケースをひっくり返した状態を考えると、保持リールである巻取りリール７にある鍔１１の半径Ｋの部分に、非保持リールである繰出しリール５に伴った繰出しリール用ギアのギア歯部１５までの半径Ｈの部分があたって、リールが落ちない配置となっている。
【００５０】
保持リールと非保持リールが実施例１や２と異なっているこのような配置であっても、土台ケースに部材を組み込み後、蓋ケースをするまでの間に、ふいに土台ケースをひっくり返しても、組み込んだリールなどを落とすことがなくなった。
【実施例４】
【００５１】
この実施例４では、実施例３とリールの構造が異なり、それ以外は実施例３と同じである。リールの構造の違いは、巻取りリール７にはリール芯の両端に同半径の鍔１１が設けられているところである。
【００５２】
図１１は、実施例４の繰出しリールと巻取りリールの配置説明図である。前記の巻取りリール７の構造の違い以外は、図１０（実施例３）と同様に表わしている。図１１において、Ｌ＜Ｋ＋Ｈの関係を満たしている部分は、実施例３と同様の部分も満たしているが、これ以外に、Ｋについては、土台ケース４に遠い方の巻取りリール７にある鍔１１の半径、Ｈについては、繰出しリール５に巻かれている転写テープ６までの半径もまた、この関係を満たしている部分である。この実施例のような構成の場合、Ｌ＜Ｋ＋Ｈの関係を満たしている部分は２箇所あることになる。このＫの部分に、土台ケースをひっくり返した時に、Ｈの部分が係ることによって、非保持リールが保持されている配置となっている。つまり、この図の上下を逆さにして、土台ケースをひっくり返した状態を考えると、保持リールである土台ケース４に遠い方の巻取りリール７にある鍔１１の半径Ｋの部分に、非保持リールである繰出しリール５に巻かれている転写テープ６までの半径Ｈの部分があたって、リールが落ちない配置となっている。
【実施例５】
【００５３】
この実施例５では、実施例３や４とリールの構造が異なり、それ以外は実施例３と同じである。リールの構造の違いは、巻取りリール７に鍔がないところと、巻取りリール用ギアのギア歯部１７が巻取りリール７のコア半径と略同じ半径であるところである。
【００５４】
図１２は、実施例５の繰出しリールと巻取りリールの配置説明図である。前記の巻取りリール７の構造の違い以外は、図１０（実施例３）や図１１（実施例４）と同様に表わしている。図１２において、Ｌ＜Ｋ＋Ｈの関係を満たしている部分は、Ｋについては、巻取りリール７のコア半径であり、Ｈについては、繰出しリール５に伴った繰出しリール用ギアのギア歯部１５までの半径である。このＫの部分に、土台ケースをひっくり返した時に、Ｈの部分が係ることによって、非保持リールが保持されている配置となっている。つまり、この図の上下を逆さにして、土台ケースをひっくり返した状態を考えると、保持リールである巻取りリール７のコア半径Ｋの部分に、噛合部２３にて非保持リールである繰出しリール５の繰出しリール用ギアのギア歯部１５があたって、リールが落ちない配置となっている。
【００５５】
この実施例にあるように、ＫやＨの半径部分が、リールの鍔部分や繰出しリールに巻かれている転写テープの部分ではなく、また、Ｌ＜Ｋ＋Ｈの関係を満たしている部分が、ギアの噛合部２３であっても、本発明となる。
【００５６】
実施例１から５まで説明したように、本発明の構造により、組み立てや詰め替えにおいて、土台ケースをひっくり返しても、組み込む部材である繰出しリールと巻取りリールが転写テープでつながっている部材が落ちないようにすることできるようになった。また、組み込む部材を具備したカートリッジ方式にもしておらず、少ない部材で効果的な構造となり、環境負荷へ配慮したものとなった。
【図面の簡単な説明】
【００５７】
【図１】本発明の塗膜転写具の斜視図。
【図２】土台ケースと蓋ケースの摺動説明図。
【図３】土台ケースの内部構造を表わした図。
【図４】リールなどを組み込む前の土台ケースの内部構造を表わした図。
【図５】繰出しリールと片鍔の巻取りリールが転写テープでつながっている部材。
【図６】図５を図面裏側から見た場合。
【図７】実施例１の繰出しリールと巻取りリールの配置説明図。
【図８】実施例２の繰出しリールと巻取りリールの配置説明図。
【図９】繰出しリールと両鍔の巻取りリールが転写テープでつながっている部材。
【図１０】実施例３の繰出しリールと巻取りリールの配置説明図。
【図１１】実施例４の繰出しリールと巻取りリールの配置説明図。
【図１２】実施例５の繰出しリールと巻取りリールの配置説明図。
【符号の説明】
【００５８】
１    塗膜転写具
２    転写ヘッド
３    蓋ケース
４    土台ケース
５    繰出しリール
６    転写テープ
７    巻取りリール
８    テープ基材
９    係合部
１０  駆動部材
１１  鍔
１２  繰出しリールのリール支軸
１３  巻取りリールのリール支軸
１４  繰出しリール用ギア
１５  繰出しリール用ギアのギア歯部
１６  巻取りリール用ギア
１７  巻取りリール用ギアのギア歯部
１８  スリップコア
１９  爪
２０  スリップコアのリール保持部
２１  リールのリール芯穴内面
２２  リールのリール芯穴内係部
２３  噛合部
２４  レール部
【図１】
0005078646.tif 000002
【図２】
0005078646.tif 000003
【図３】
0005078646.tif 000004
【図４】
0005078646.tif 000005
【図５】
0005078646.tif 000006
【図６】
0005078646.tif 000007
【図７】
0005078646.tif 000008
【図８】
0005078646.tif 000009
【図９】
0005078646.tif 000010
【図１０】
0005078646.tif 000011
【図１１】
0005078646.tif 000012
【図１２】
0005078646.tif 000013